(57)【要約】【課題】コーキング材の取付けを不要とし、窓用開口部を小さくせず、しかも、サッシ枠が変形する惧れがなく、意匠上好ましいサッシ枠取付装置を提供する。【解決手段】建物躯体の外壁開口部２１にスチール枠４０を介してサッシ枠３０を取付けるサッシ枠取付装置１００である。スチール枠４０は、サッシ枠３０のサッシ上枠３１とサッシ竪枠３３の外周に取付けるスチール上枠４１とスチール竪枠４３とを備える。サッシ枠３０とスチール枠４０とは、室内側において室内側から室外側に向けてビス止めされている。室外側において室外側から室内側に向けてビスで止めされている。スチール枠４０には、外壁２０側への取付部となる外壁取付枠４１ａ，４３ａを形成させ、該外壁取付枠４１ａ，４３ａにより外壁２０の室内面２０ａを覆うようにして取り付ける。【選択図】図１
2004190409.tif 000002
【特許請求の範囲】
【請求項１】
建物躯体の外壁開口部２１にスチール枠４０を介してサッシ枠３０を取り付けるサッシ枠取付装置１００であって、前記スチール枠４０は、少なくとも該サッシ枠３０のサッシ上枠３１とサッシ竪枠３３の外周に取付けるスチール上枠４１とスチール竪枠４３とを備え、
上記サッシ枠３０とスチール枠４０とは、室内側において室内側から室外側に向けてビス止めされていると共に、室外側において室外側から室内側に向けてビスで止めされており、且つ、
上記スチール枠４０には、外壁２０側への取付部となる外壁取付枠４１ａ，４３ａを形成させ、該外壁取付枠４１ａ，４３ａにより外壁２０の室内面２０ａを覆うようにして取り付けられることを特徴とするサッシ枠取付装置。
【請求項２】
上記スチール枠４０は板体から形成され、該板体にサッシ枠３０を取り付けるためのサッシ枠取付枠４１ｂ，４３ｂが形成され、又、上記サッシ枠３０の外周面にはスチール枠取付部３１ｃ，３３ｃ及びコーキング受部３１ｂ，３３ｂが形成されていることを特徴とする請求項１記載のサッシ枠取付装置。
【請求項３】
上記室内側から室外側に向けてビス止めされている部分ｘは、室内側に配置された額縁により隠蔽され、また、室外側から室内側に向けてビス止めされている部分ｙは、サッシ枠３０のコーキング受部３１ｂ，３３ｂに形成されるコーキング材６０により隠蔽されることを特徴とする請求項１又は請求項２のサッシ枠取付装置。
【請求項４】
サッシ枠３０のサッシ下枠３２に、クランク状のスチールカバー４２をサッシ下枠３２及び外壁の室内面２０ａを覆うように取り付けることを特徴とする請求項１乃至請求項３記載のいずれかのサッシ枠取付装置。
【発明の詳細な説明】
【０００１】
【発明が属する技術分野】
この発明は、建物の躯体開口部に取り付けられるサッシ枠取付装置に関する。
【０００２】
【従来の技術】
従来技術に係るサッシ枠の躯体開口部への取付は、その取付後にサッシ枠と躯体との隙間にモルタル詰めを行っていたことから、サッシ枠の取付け作業が煩雑であるばかりでなく、技能工が必要であった。また、モルタル部で形成される熱橋により室内側に結露が生じることもあった。そこで、このモルタル詰め作業を省略することができるサッシ枠取付装置として補助枠を用いる技術が、特許文献１や特許文献２に示されている。
【０００３】
具体的には、図９に示すように、特許文献１記載のサッシ枠取付装置１０は、窓枠の補助枠体１とこれに装着可能な窓枠本体２とから構成され、補助枠体１は、躯体３にビス止め固定（ビス７）する被固定部２ａと、装着された窓枠本体２をビス止め固定（ビス７）する固定部４と、窓用開口部５との隙間をシールするシール部６と、を含むものである。
そして、補助枠体１は、躯体３の窓用開口部５に装着可能な形態とされ、その被固定部２ａを躯体３にビス止め固定して窓用開口部５に取付け、窓枠本体２は、補助枠体１の固定部４にビス止め固定されて、補助枠体１を介して躯体３の窓用開口部５に取付けられるものである。なお、符号８はコーキング部である。
【０００４】
このような構成により、ビス７によるビス止め作業をするだけで窓枠本体２を躯体３の窓用開口部５に取り付けることができ、躯体アングルの溶接作業が不要となり、補助枠体１と躯体３の窓用開口部５との隙間は、補助枠体１のシール部６によってシールされ水密・気密を図かることで、モルタル詰め作業もする必要がないというものである。
また、建物の外壁としてオートクレーブ養生した軽量気泡コンクリ一卜板（ＡＬＣ板）を用いた場合は、この建物の外壁におけるサツシの取付けに当っては、外壁の窓用開口部５に、図８に示すように、当該開口部５を補強する必要から、例えば建物の躯体を構成する梁に溶接した受金物に対し、一例として７５ｍｍ×７５ｍｍ×６ｍｍの等辺山形鋼から成る躯体アングル２２を当該開口部に止着し、そして、この躯体アングル２２に対して窓枠本体２を固着するようにしている。
【０００５】
【特許文献１】特開平８−１２８２６８号公報（特に、図４参照）
【特許文献２】特開２００１−２９５５５４号公報
【０００６】
【発明が解決しようとする課題】
しかしながら、上記公知の窓枠本体は、図９に示すように、補助枠体の構造がその素材との関連上、幅のあるものになり、その結果、窓枠本体の大きさが制限され、窓枠本体の取り付けに手数を要するばかりでなく、窓用開口部が実質的に小さくなるという不利点があり、また、補助枠体に対する窓枠本体の取付け部が露出していて、意匠上好ましくないものであった。また、上記のように建物外壁壁面にＡＬＣ外壁３ａを用いた場合には、図８に示すように、ＡＬＣ外壁３ａと窓枠本体との隙間にモルタル部９が形成されるが、このモルタル部９がＡＬＣ外壁３ａと窓枠本体との熱橋となり、室内側に結露が発生することがある。
【０００７】
したがって、本発明の課題は、上記従来技術に係るサッシ枠取付装置の欠点を除去するために発明されたものであり、モルタルの取付けを不要とすることに加えて、窓用開口部を小さくする必要がなく、意匠上好ましいサッシ枠取付装置を提供することにある。
【０００８】
【課題を解決するための手段】
上記課題を解決するために、本発明は、以下の手段を講じた。即ち、
請求項１記載のサッシ枠取付装置は、建物躯体の外壁開口部２１にスチール枠４０を介してサッシ枠３０を取り付けるサッシ枠取付装置１００であって、前記スチール枠４０は、少なくとも該サッシ枠３０のサッシ上枠３１とサッシ竪枠３３の外周に取付けるスチール上枠４１とスチール竪枠４３とを備え、上記サッシ枠３０とスチール枠４０とは、室内側において室内側から室外側に向けてビス止めされていると共に、室外側において室外側から室内側に向けてビスで止めされており、且つ、上記スチール枠４０には、外壁２０側への取付部となる外壁取付枠４１ａ，４３ａを形成させ、該外壁取付枠４１ａ，４３ａにより外壁２０の室内面２０ａを覆うようにして取り付けられることを特徴とする。
【０００９】
請求項２記載のサッシ枠取付装置は、請求項１記載のサッシ枠取付装置において、上記スチール枠４０は板体から形成され、該板体にサッシ枠３０を取り付けるためのサッシ枠取付枠４１ｂ，４３ｂが形成され、又、上記サッシ枠３０の外周面にはスチール枠取付部３１ｃ，３３ｃ及びコーキング受部３１ｂ，３３ｂが形成されていることを特徴とする。
【００１０】
請求項３記載のサッシ枠取付装置は、請求項１又は請求項２記載のサッシ枠取付装置において、上記室内側から室外側に向けてビス止めされている部分ｘは、室内側に配置された額縁により隠蔽され、また、室外側から室内側に向けてビス止めされている部分ｙは、サッシ枠３０のコーキング受部３１ｂ，３３ｂに形成されるコーキング材６０により隠蔽されることを特徴とする。
請求項４記載のサッシ枠取付装置は、請求項１乃至請求項３記載のいずれかのサッシ枠取付装置において、サッシ枠３０のサッシ下枠３２に、クランク状のスチールカバー４２をサッシ下枠３２及び外壁の室内面２０ａを覆うように取り付けることを特徴とする。
【００１１】
【発明の実施の態様】
以下、本発明の実施の態様について説明する。
（全体構成）
本発明に係る実施態様の全体は図１及び図２に示される。  図１はサッシ枠取付装置１００の縦断面図、図２はその水平断面図である。図１において、サッシ枠取付装置１００は外壁２０開口部２１の周縁部に取り付けられている躯体アングル２２に装着されており、該躯体アングル２２にスチール枠４０等が溶接により取付けられる。また、スチール枠４０にはサッシ枠３０がビス５０ａ等により取付けられ、この取付け状態において、サッシ枠３０と外壁２０との間にはコーキング材６０が形成される。
また、サッシ枠３０を構成するサッシ下枠３２の室内側及び外壁２０の開口面に亘ってスチールカバー４２がビス５０により取付けられ、さらに、必要に応じてその下部が躯体アングル２２に溶着される。また、サッシ枠取付装置１００の室内側には額縁（図外）が配置される。また、スチールカバー４２の室内側には床板９０が形成される。そして、上記構成のサッシ枠取付装置１００において、サッシ上枠３１とサッシ下枠３２との間には窓障子７０が開閉・走行可能に装着される。
【００１２】
（スチール枠４０）
次に、サッシ枠取付装置１００の各部材について説明する。
先ず、スチール枠４０について図３乃至図６を用いて説明する。図３は同サッシ枠取付装置の部分正面図、図４は図３のＡ−Ａ断面図（スチール上枠４１の断面図）、図５は図３のＢ−Ｂ断面図（スチール竪枠４３の断面図）、図６は図３のＣ−Ｃ断面図（スチールカバー４２の断面図）である。
【００１３】
図３に示すように、スチール枠４０は、スチール上枠４１、左右のスチール竪枠４３及びスチールカバー４２から成る。スチール上枠４１は、図４に示すように断面Ｌ形で平板状の本体部４１ｃを有する外壁取付枠４１ａと、階段状に折曲されているサッシ枠取付枠４１ｂと、からなり、これらは溶着により一体化されている。また、サッシ枠取付枠４１ｂの両端縁は、サッシ枠取付片４１ｂ'を構成している。そして、室内側のサッシ枠取付片４１ｂ'のビス止め部は、室内側のビス止部ｘを形成し、室外側のサッシ枠取付片４１ｂ' のビス止め部は、室外側のビス止部ｙを形成することになる。
なお、図７はスチール上枠４１の別形態の例を示しており（図７において、図４と同一符号を付した部分は、図４と同一構成であるものとする。）、スチール上枠４１の本体部４１ｃの室外側の一部を下方（窓開口部側）に折り曲げ、該折曲げ部４１ｄをサッシ枠取付枠４１ｂと当接させて折曲げ部４１ｄを含めてビス５０ａでサッシ枠取付枠４１ｂに固定するようにしてもよい。また、このような固定手段は他の部分、例えば、スチール竪枠４３の場合にも可能である。
また、スチール竪枠４３は、図５に示すように、水平断面Ｌ字型に形成された外壁取付枠４３ａと、開口部２１室内側に配置される略Ｚ形形状のサッシ枠取付枠４３ｂとからなり、これらの両枠４３ａ，４３ｂは重なり合う部分において溶接・固着されている。そして、外壁取付枠４３ａが外壁２０に取付けられている躯体アングル２２に固着され、室内側のサッシ枠取付枠４３ｂは、サッシ竪枠３３側のスチール枠取付部３３ｃとビス５０ａにより固着され、さらに、室外側のサッシ枠取付枠４３ｂは、サッシ竪枠３３側のコーキング受部３３ｂとビス５０ｂにより固着されることになる。また、サッシ枠取付枠４３ｂの両端部はサッシ枠取付片４３ｃを構成している。なお、上記両枠４３ａ，４３ｂは、他の形状、例えば断面コの字型形状であってもよく、単に断面Ｌ型形状であってもよい。この点は、スチール上枠４１の場合も同様である。
そして、断面コ字形状のスチール枠４３の場合は、ビス止部ｘ及びビス止部ｙにおけるサッシ枠取付片４３ｃと、コーキング受部３３ｂ及びスチール枠取付部３３ｃとの位置関係が変わる場合があることはいうまでもない。
【００１４】
また、スチールカバー４２は、図６に示すように、断面クランク状の折れ曲がり板体からなり、その下方の鉛直部４２ａが躯体アングル２２への取付（溶着）部となり、その上方の鉛直部４２ｂがスチール枠取付部３３ｃへの取付（ビス５０ａ）部となる。なお、上記スチールカバー４２の躯体アングル２２への取付は、スチール枠取付部３３ｃへの取付だけにとどめ、溶接等の固着は行わず、単に覆うだけでもよい。その際、サッシ下枠３２はアンカーにより躯体に固定される。なお、スチール竪枠４３は、図３に示すように、上方部はスチール上枠４１にカバーされており、下方部はスチールカバー４２にカバーされている。この構成により、防火性、意匠性及び断熱性を向上させることができる。
【００１５】
（サッシ枠３０）
サッシ枠３０は図４に示す。サッシ上枠３１、図６に示すサッシ下枠３２及び図５に示す左右のサッシ竪枠３３から方形状に形成される枠体からなり、サッシ上枠３１及びサッシ下枠３２には、窓障子７０走行用のレール部３１ａ及びレール部３２ａが形成され、サッシ上枠３１の上面とサッシ竪枠３３の外周面（開口面２０ｂ側）にはそれぞれスチール枠取付部３１ｃ，３３ｃ、コーキング受部３１ｂ，３３ｂ、及び額縁用アングルが形成されている。
【００１６】
（取付）
サッシ枠取付装置１００は、上記のようにサッシ枠３０とスチール枠４０とからなるが、このサッシ枠取付装置１００を外壁２０の開口部２１に装着するに当たっては、まず、サッシ上枠３１、サッシ竪枠３３及びサッシ下枠３２を組み立てて方形状のサッシ枠３０を形成する。この組み立てに当たっては、従来手段と同様にビス等で取り付ける。
【００１７】
次に、組立後のサッシ枠３０のサッシ上枠３１部分には、図４に示すように、スチール上枠４１を取り付けるが、この取り付けに当たっては、サッシ上枠３１のスチール枠取付部３１ｃ及びコーキング受部３１ｂの室内側にサッシ枠取付片４１ｂ'をそれぞれ配置・当接させ、室内側の当接部においてはビス５０ａにより室内側から固定してビス止部ｘとし、また、室外側の当接部においては、ビス５０ｂにより室外側から固定してビス止部ｙとする。このようにして、サッシ上枠３１にはスチール上枠４１が固定される。
【００１８】
次に、図５に示すように、組み立て後のサッシ枠３０のサッシ竪枠３３に対してスチール竪枠４３が装着される。スチール竪枠４３のサッシ枠取付枠４３ｂのサッシ枠取付片４３ｃは室外側においてコーキング受部３３ｂ、及び、室内側においてスチール枠取付部３３ｃの室内側に配置され、両枠が当接した部分においてビス５０ｂ，５０ａにより一体化される。そして、室内側にビス止部ｘが形成され、また、室外側にビス止部ｙが形成される。
【００１９】
この状態において、サッシ枠３０にスチール上枠４１及びスチール竪枠４３が固着された状態で、外壁２０の開口部２１に図１乃至図３に示されるように室内側から嵌合・装着される。この嵌合・装着状態において、開口面２０ｂとサッシ枠３０との間に隙間Ｃが形成される。換言すれば、サッシ枠３０及びスチール枠４０共に、上記隙間Ｃが形成されるような形状・スケールとする必要がある。そして、この隙間Ｃは外壁２０とサッシ枠取付装置１００との断熱上重要である。これらのサッシ枠取付装置１００が開口部２１内で位置決めされた状態でスチール上枠４１及びスチール竪枠４３は開口部２１の躯体アングル２２の室内面に溶接・固定される。そして、その固定後において、スチールカバー４２がサッシ下枠３２及び外壁２０の下辺に装着され、サッシ下枠３２にビス５０によってビス止めされるとともにその下辺が躯体アングル２２に溶接される。
【００２０】
このようにして、サッシ枠取付装置１００が開口部２１に装着・固定された後、外壁２０とサッシ枠３０との間の室外側においてコーキング材６０が形成される。このコーキング材６０によって、上記ビス止部ｙは視認不可となる。また、ビス止部ｘも額縁によって室内から視認不可となる。
室内側においては、室内面２０ａからスチール枠４０の室内面にわたって室内壁８０及び額縁（図外）が形成され、また、その下面には床板９０又は額縁（図外）が形成される。そして、さらにサッシ枠３０内には窓障子７０が装着される。
【００２１】
【発明の効果】
本発明は、上記構成により、下記の効果を奏する。即ち、
本発明は、剛性の高いスチール枠４０を介してサッシ枠３０を外壁２０に取付けたことで、サッシ枠３０の変形を防止し、サッシ枠３０の外壁２０への取付作業を容易にすることができる。また、スチール枠４０でサッシ枠３０と外壁２０との隙間を覆ったことで、モルタルの詰め作業をなくすことができ専門の技能工以外での取付を可能とした。また、作業の簡易化と工期の短縮化を実現した。
また、補助枠体の構造が小幅となり、特にモルタル詰め空間を設ける必要がなくなることから、結果として窓口開口部を大きくすることができ、更に、建物外壁３ａと窓枠本体との隙間にモルタル部が形成されないことから、熱橋が形成されず、室内側に結露が発生することがなくなった。
【００２２】
さらに、スチール枠４０に対するサッシ枠３０の固定を、室外側はコーキング受部３１ｂ，３３ｂ、室内側は額縁の外周側としたことで、コーキング材６０及び額縁により、完工後、ビス５０ａ，５０ｂが見えないようにしたことで、意匠性の向上を図った。
【００２３】
また、サッシ枠３０は、スチール枠４０を介して躯体アングル２２に固定されていることから、躯体アングル２２とサッシ枠３０との間に隙間がなく、防火上有利となる。更に、安定した取付ができるため、サッシ枠取付装置として高性能を維持できる。
【図面の簡単な説明】
【図１】本発明に係るサッシ枠取付装置の概略縦断面図。
【図２】同サッシ枠取付装置の概略水平断面図。
【図３】同サッシ枠取付装置の部分正面図。
【図４】図３のＡ−Ａ断面図。
【図５】図３のＢ−Ｂ断面図。
【図６】図３のＣ−Ｃ断面図。
【図７】図３のＡ−Ａ断面図に相当する別例の断面図。
【図８】従来技術を示す概略縦断面図。
【図９】従来技術を示す概略縦断面図。
【符号の説明】
１０・・サッシ枠取付装置（従来技術）
１・・・補助枠体      ２・・・窓枠本体    ２ａ・・・被固定部
３・・・躯体          ３ａ・・・ＡＬＣ外壁      ４・・・固定部
５・・・窓用開口部
６・・・シール部      ７・・・ビス        ８・・・コーキング部
９・・・モルタル部
１００・・サッシ枠取付装置（本発明）
２０・・外壁          ２０ａ・・室内面    ２０ｂ・・開口面
２１・・開口部        ２２・・躯体アングル
３０・・サッシ枠
３１・・サッシ上枠    ３１ａ・・レール部      ３１ｂ・・コーキング受部
３１ｃ・・スチール枠取付部    ３２・・サッシ下枠    ３２ａ・・レール部
３３・・サッシ竪枠    ３３ｂ・・コーキング受部
３３ｃ・・スチール枠取付部
４０・・スチール枠        ４１・・スチール上枠      ４１ａ・・外壁取付枠
４１ｂ・・サッシ枠取付枠  ４１ｂ'・・サッシ枠取付片  ４１ｃ・・本体部
４１ｄ・・折曲げ部        ４２・・スチールカバー
４２ａ・・下方の鉛直部    ４２ｂ・・上方の鉛直部
４３・・スチール竪枠      ４３ａ・・外壁取付枠  ４３ｂ・・サッシ枠取付枠
４３ｃ・・サッシ枠取付片  ５０，５０ａ，５０ｂ・・ビス
６０・・コーキング材      ７０・・窓障子      ８０・・室内壁
９０・・床板            ｘ・ｙ・・ビス止部      Ｃ・・隙間
【図１】
2004190409.tif 000003
【図２】
2004190409.tif 000004
【図３】
2004190409.tif 000005
【図４】
2004190409.tif 000006
【図５】
2004190409.tif 000007
【図６】
2004190409.tif 000008
【図７】
2004190409.tif 000009
【図８】
2004190409.tif 000010
【図９】
2004190409.tif 000011